(57)【要約】【課題】１つの発光素子が異常であることを検出した場合でも、カラー原稿の読み取りを継続する。【解決手段】画像読取装置１は、異なった発光色光Ｌを発光する複数のＬＥＤを有する光源４１と、光源４１と同一構成の複数のＬＥＤを有し、光源４１が発光する発光色光Ｌと同一の発光色光Ｌを同時に発光する光源４２とを備えている。画像読取装置に電源が投入されたときには、発光異常検出部６２により、同色の発光色光Ｌの２つのＬＥＤのうち１つの第１のＬＥＤが異常であることを検出したときには、光源駆動部５３は、第１のＬＥＤと同色で正常な第２のＬＥＤの発光時間を延ばす。更に、第１のＬＥＤの色の画像データに対し、シェーディング補正を実施する。このようにしたので、第１のＬＥＤが異常であった場合の原稿の画像データの画質のレベルを劣化させることがなくカラー読取モードによる原稿の読み取りを継続することができる。【選択図】図１
2012178790.tif 000002
【特許請求の範囲】
【請求項１】
画像が形成された原稿に対し、それぞれ異なった発光色光を発光する複数の発光素子を有する第１の光源と、
前記第１の光源と同一構成の複数の発光素子を有し、前記第１の光源が発光する前記発光色光と同一の前記発光色光を同時に発光する第２の光源と、
前記原稿からの反射光又は透過光を受光し、電気信号の画像データに変換して出力する撮像素子と、
前記第１及び第２の光源の前記発光素子の異常を検出する発光異常検出部と、
前記異常が検出された前記第１又は第２の光源における第１の前記発光素子の前記発光色光と同色の前記第２又は第１の正常な第２の前記発光素子の発光時間を変更し、前記発光素子を駆動する光源駆動部と、
前記光源駆動部で前記発光時間が変更された前記第２の発光素子の前記発光色光の第１の白基準データと、前記第１の発光素子の前記発光色光以外の全ての前記発光素子の前記発光色光の第２の白基準データとを計算する白基準データ計算部と、
前記白基準データ計算部で計算した前記第２の白基準データと、所定の第１の補正係数とに基づいて前記第１の発光素子の前記発光色光の仮想白基準データを計算する仮想白基準データ計算部と、
前記仮想白基準データと、前記第１の白基準データとに基づいて、前記画像データに対する第２の補正係数を取得する補正係数計算部と、
前記第２の補正係数に基づいて、前記画像データを補正する補正部と、
を備えたことを特徴する画像読取装置。
【請求項２】
前記画像読取装置は、更に、
前記第１及び第２の光源から発光された前記発光色光を前記原稿に導き、前記原稿からの前記反射光又は前記透過光を前記撮像装置に導く光学系を備えたことを特徴とする請求項１記載の画像読取装置。
【請求項３】
前記発光異常検出部は、
請求項１又は２記載の画像読取装置の電源が投入されたとき、又は前記画像読取装置が省電力モードから復帰したときに、前記第１及び第２の光源の前記複数の発光素子の発光量を調整し、調整後の前記発光量が基準値に満たないときに前記発光素子を異常であると検出することを特徴とする請求項１又は２記載の画像読取装置。
【請求項４】
前記第２の補正係数は、
前記第１の発光素子の前記発光色光の仮想白基準データと、前記第２の発光素子の前記発光色光の第１の白基準データとに基づき取得されることを特徴とする請求項１〜３のいずれか１項に記載の画像読取装置。
【請求項５】
前記補正部は、
シェーディング回路により構成されていることを特徴とする請求項１〜４のいずれか１項に記載の画像読取装置。
【請求項６】
前記仮想白基準データ計算部は、
前記白基準データ計算部で取得した複数の前記第２の白基準データのうちのいずれか１つを選択し、選択された前記第２の白基準データと、前記第２の白基準データに関連する第１の補正係数とに基づいて前記第１の発光素子の前記仮想白基準データを計算することを特徴とする請求項１〜５のいずれか１項に記載の画像読取装置。
【請求項７】
前記仮想白基準データ計算部は、
異常が検出された前記発光素子の発光色光とは別の２つ前記発光色光の第２の白基準データを選択し、選択された前記２つの第２の白基準データのうちの一方の第２の白基準データと、前記一方の第２の白基準データに関連する第１の補正係数と、に基づいて第１の計算結果を計算し、更に、選択された前記２つの第２の白基準データのうちの他方の第２の白基準データと、前記他方の第２の白基準データに関連する第１の補正係数とに基づいて第２の計算結果を計算し、前記第１の計算結果と前記第２の計算結果との平均値を求めて前記仮想白基準データとすることを特徴とする請求項１〜５のいずれか１項に記載の画像読取装置。
【請求項８】
請求項１〜７のいずれか１項に記載の画像読取装置と、
前記画像読取装置から受け取った前記画像データから可視画像を形成する現像装置と、
前記可視画像を印刷媒体に転写する転写部と、
前記印刷媒体に転写された前記可視画像を定着させる定着部と、
を備えたことを特徴とする画像形成装置。
【発明の詳細な説明】
【技術分野】
【０００１】
本発明は、それぞれ異なった発光色光を発光する複数の発光素子を光源として用いる画像読取装置、及びこの画像読取装置を備えた画像形成装置に関するものである。
【背景技術】
【０００２】
従来の画像読取装置は、例えば、電子写真方式による多機能プリンタ（MultiFunction  Printer、以下「ＭＦＰ」という。）等の一部を構成する画像読取装置であって、原稿を読み取り、読み取った画像データを、各種装置に出力する機能を有している。
【０００３】
従来の画像読取装置においては、それぞれ異なった発光色光を発光する複数の発光素子を光源として用い、カラー読取モード及びモノクロ読取モードを有し、複数の発光素子のいずれか１つが異常であると検出した場合には、読み取り動作を行う前に、カラー読取モードからモノクロ読取モードに切り替える制御を行っている。特許文献１には、このような、画像読取装置の技術が記載されている。
【先行技術文献】
【特許文献】
【０００４】
【特許文献１】特開２００７−２３５４４１号公報
【発明の概要】
【発明が解決しようとする課題】
【０００５】
しかしながら、従来の画像読取装置では、それぞれ異なった発光色光を発光する複数の発光素子のうちの１つの発光素子が異常であった場合、カラー原稿のカラー読み取りを継続することがでないという課題があった。
【課題を解決するための手段】
【０００６】
本発明の画像読取装置は、画像が形成された原稿に対し、それぞれ異なった発光色光を発光する複数の発光素子を有する第１の光源と、前記第１の光源と同一構成の複数の発光素子を有し、前記第１の光源が発光する前記発光色光と同一の前記発光色光を同時に発光する第２の光源と、前記原稿からの反射光又は透過光を受光し、電気信号の画像データに変換して出力する撮像素子と、前記第１及び第２の光源の前記発光素子の異常を検出する発光異常検出部と、前記異常が検出された前記第１又は第２の光源における第１の前記発光素子の前記発光色光と同色の前記第２又は第１の正常な第２の前記発光素子の発光時間を変更し、前記発光素子を駆動する光源駆動部とを備えている。
【０００７】
更に、本発明の画像読取装置は、前記光源駆動部で前記発光時間が変更された前記第２の発光素子の前記発光色光の第１の白基準データと、前記第１の発光素子の前記発光色光以外の全ての前記発光素子の前記発光色光の第２の白基準データとを計算する白基準データ計算部と、前記白基準データ計算部で計算した前記第２の白基準データと、所定の第１の補正係数とに基づいて前記第１の発光素子の前記発光色光の仮想白基準データを計算する仮想白基準データ計算部と、前記仮想白基準データと、前記第１の白基準データとに基づいて、前記画像データに対する第２の補正係数を取得する補正係数計算部と、前記第２の補正係数に基づいて、前記画像データを補正する補正部とを備えている。
【０００８】
本発明の画像形成装置は、前記画像読取装置と、前記画像読取装置から受け取った前記画像データから可視画像を形成する現像装置と、前記可視画像を印刷媒体に転写する転写部と、前記印刷媒体に転写された前記可視画像を定着させる定着部とを備えている。
【発明の効果】
【０００９】
本発明の画像読取装置及び画像形成装置によれば、電源が投入された場合又は省電力モードから復帰した場合、発光異常検出部が発光素子の異常を検出し、異常を検出した発光素子と同色の他の発光素子の発光時間を延ばして原稿のカラー読み取りを実施する。更に、読み取った画像データに対し、所定の補正を実施する。このため、１つの発光素子が異常であっても画像データの画質を低下させることなく、カラー原稿のカラー読み取りを継続することができるという効果がある。
【図面の簡単な説明】
【００１０】
【図１】図１は本発明の実施例１の画像読取装置を示す機能ブロック図である。
【図２】図２は本発明の実施例１の画像読取装置を示す構成図である。
【図３】図３は図２中の読取ユニットを示す概略の構成図である。
【図４】図４は図１中の補正係数記憶部を示す構成図である。
【図５】図５は図１中の発光異常検出部を示す構成図である。
【図６】図６は図１中の白基準データ計算部を示す構成図である。
【図７】図７は図１中の仮想白基準データ計算部を示す構成図である。
【図８】図８は図１中のシェーディング回路を示す構成図である。
【図９】図９は図１の画像読取装置におけるＬＥＤ発光異常を検出する動作を示すフローチャートである。
【図１０】図１０は図１の画像読取装置におけるカラー画像読み取り時の動作を示すフローチャートである。
【図１１】図１１は本発明の実施例２の画像読取装置を示す機能ブロック図である。
【図１２】図１２は図１１中の仮想白基準データ計算部を示す構成図である。
【図１３】図１３は図１１の画像読取装置におけるカラー画像読み取り時の動作を示すフローチャートである。
【発明を実施するための形態】
【００１１】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１２】
（実施例１の構成）
図２は、本発明の実施例１の画像読取装置１を示す構成図である。
【００１３】
画像読取装置１は、自動原稿送り部（Automatic  Document  Feeder、以下「ＡＤＦ」という。)１０と、フラットベッド部(Flatbed、以下「ＦＢ」という。)３０とで構成されている。ＦＢ３０の上部には、ＡＤＦ１０が開閉自在に配置されている。
【００１４】
ＡＤＦ１０は、読み取る原稿を載置する原稿給紙台１１と、原稿が載置されたことを検知する原稿検知センサ１２と、ピックアップローラ１３と、搬送ローラ１４，１５と、読み取り開始のタイミングを計る読取位置センサ１６と、原稿押圧板１７と、読み取った原稿を排紙トレイ２２へ排出する排紙ローラ１８，１９と、原稿が排出されたことを検知する原稿排出センサ２０と、原稿を搬送する駆動力を与えるステッピングモータ２１とを有している。
【００１５】
ＦＢ３０は、白基準板３１と、原稿を載置するＦＢ原稿台３２と、白基準板３１とＦＢ原稿台３２とが形成されたコンタクトガラス３３と、読取ユニット４０の位置を検知するホームセンサ３４と、プーリ３５と、搬送ベルト３６と、ステッピングモータ３７と、搬送ベルト３６に固定された読取ユニット４０とを有している。
【００１６】
搬送ベルト３６は、ステッピングモータ３７とプーリ３５によって張架され、ステッピングモータ３７の回転により、読取ユニット４０をコンタクトガラス３３に沿って移動させるように構成されている。ホームセンサ３４は、読取ユニット４０が所定の位置に移動したことを検出する機能を有している。
【００１７】
読取ユニット４０は、ステッビングモータ３７の回転に伴って動作する搬送ベルト３６により、ＡＤＦ１０の原稿押圧板１７付近の図示しない原稿読取位置に移動し、原稿給紙台１１から搬送されて来る原稿を読み取って画像データを取得する機能を有している。更に、読取ユニット４０は、ステッピングモータ３７の回転に伴って動作する搬送ベルト３６により、ＦＢ原稿台３２に沿って移動し、このＦＢ原稿台３２上に載置した原稿Ｐを走査して原稿の画像データを得る機能を有している。
【００１８】
白基準板３１は、読取ユニット４０内の撮像素子が出力する電圧のばらつきを平滑化するためのシェーディング補正時に、基準となる撮像素子の出力データを取得する際に読み取られるもので、コンタクトガラス３３上のＦＢ原稿台３２の読み取り範囲外に配置されている。
【００１９】
図３は、図２中の読取ユニット４０を示す概略の構成図である。
読取ユニット４０は、密着イメージセンサ(Contact  Image  Sensor、以下「ＣＩＳ」という。)ユニットであり、第１の光源４１と、第２の光源４２と、光学系を構成する導光板４３及びロッドレンズ４４と、複数の撮像素子４５とを有している。各撮像素子４５は、例えば、相補性金属酸化膜半導体（以下「ＣＭＯＳ」という。）又は電荷結合素子（以下「ＣＣＤ」という。）から構成されている。
【００２０】
複数の撮像素子４５は、読取ユニット４０の長手方向である主走査方向Ｘに並べられている。複数の撮像素子４５のそれぞれは、読み取った画像データの主走査方向の各画素ｐｘに対応している。光源４１に近い複数の撮像素子４５ａに対応する画素を、近くの複数画素ｐｘａといい、光源４２に近い撮像素子４５ｂに対応する画素を、近くの複数画素ｐｘｂという。
【００２１】
光源４１及び光源４２は、それぞれ異なった発光色光Ｌを発光する複数の発光素子である発光ダイオード(Light  Emitting  Diode、以下「ＬＥＤ」という。)を有している。本実施例１では、光源４１と光源４２とは、それぞれ赤（以下「Ｒ」という。）、緑（以下「Ｇ」という。）、青（以下「Ｂ」という。)の３個のＬＥＤを有している例で説明する。即ち、光源４１は、Ｒ色を発光するＲＬＥＤ１と、Ｇ色を発光するＧＬＥＤ１と、Ｂ色を発光するＢＬＥＤ１とで構成されている。光源４２は、Ｒ色を発光するＲＬＥＤ２と、Ｇ色を発光するＧＬＥＤ２と、Ｂ色を発光するＢＬＥＤ２とで構成されている。
【００２２】
カラー原稿Ｐがカラー読取モードで読み取られる場合には、Ｒ、Ｇ、Ｂの３色のＬＥＤが順次発光されて読み取られる。画像読取装置１において、原稿を読み取るときには、前記６個のＬＥＤにより発光された発光色光Ｌは、導光板４３を介して原稿Ｐへ到達する。原稿Ｐからの反射光は、ロッドレンズ４４を介して撮像素子４５へ導かれ、撮像素子４５がこの光信号を受光して電気的なアナログ信号に変換するように構成されている。
【００２３】
図１は、本発明の実施例１の画像読取装置１を示す機能ブロック図である。
本発明の画像形成装置は、画像読取装置１と、プリンタ３とを備えている。プリンタ３は、画像読取装置１から受け取った画像データから可視画像を形成する現像装置と、可視画像を印刷媒体に転写する転写部と、前記印刷媒体に転写された可視画像を定着させる定着部とを備えている。
【００２４】
画像読取装置１は、データ通信バス２を介してプリンタ３と接続されている。データ通信バス２は、例えば、ＵＳＢ(Universal  Serial  Bus)インタフェース（以下「Ｉ／Ｆ」という。）で構成されている。
【００２５】
画像読取装置１は、画像読取装置１全体を制御する中央処理装置（以下「ＣＰＵ」という。）５１を有している。ＣＰＵ５１は、不揮発性記憶装置であるリードオンリメモリ（以下「ＲＯＭ」という。）５２に格納された各種の制御プログラムに基づいて、画像形成装置１全体の制御を行う機能を有している。
【００２６】
光源駆動部５３は、読取ユニット４０の光源４１及び光源４２内の６個のＬＥＤのオンオフを駆動する駆動回路であり、例えば、図示しない定電流回路と図示しない開閉回路により構成されている。より具体的には、ＣＰＵ５１がパルス変調（Pulse  Width  Modulation、以下「ＰＷＭ」という。)制御で開閉回路を制御して６個のＬＥＤの光量を調整するように構成されている。画像読取部５４は、撮像素子４５により出力された電気信号に基づき、アナログ画像データを生成する機能を有している。
【００２７】
アナログ／デジタル変換回路（Analog  Front  End、以下「ＡＦＥ」という。)５５は、画像読取部５４が生成したアナログ画像データをデジタル画像データに変換する機能を有している。変換されたデジタル画像データは、画像データとして、例えば、ＲＡＭ５９に格納されるようになっている。画像データは、色調や階調等の色情報を有する画素ｐｘから構成されている。
【００２８】
補正部であるシェーディング回路５６は、画像データに対してシェーディシグ補正をする回路である。シェーディング回路５６は、所定の式に基づいて、読み取った画像データに対してシェーディング補正を実施する機能を有している。
【００２９】
画像処理部５７は、シェーディング回路５６により補正された画像データに対して圧縮処理、ガンマ補正、階調変換等の画像処理を行う機能を有している。
【００３０】
アラーム部５８は、画像読取装置１の動作中に異常な状態が検出されると、ユーザに通知の音を出す機能を有している。例えば、同色の２つのＬＥＤの発光不良が検出されると、アラーム部５８は、ユーザに通知の音を出す機能を有している。
【００３１】
ＲＡＭ５９は、画像データの一時蓄積や制御データの一時格納に使われる記憶部である。操作パネル６０は、ユーザからの動作指示や画像読取装置１の状態の表示を行う機能を有している。搬送制御部６１は、原稿検出センサ１２、読取位置センサ１６、原稿排出センサ２０、及びホームセンサ３４のオン／オフ状態に基づいて、ＣＰＵ５１の命令により、ステッピングモータ２１と、ステッピングモータ３７とを駆動するように構成されている。
【００３２】
発光異常検出部６２は、ＡＦＥ５５により変換された各画素のデジタル出力データに基づいて、前記６個のＬＥＤに異常発光のＬＥＤがあるか否かを検出する機能を有している。
【００３３】
白基準データ計算部６３は、読取ユニット４０が原稿Ｐを読み取る前に、光源４１と光源４２とのＬＥＤを発光状態にし、白基準板３１を読み取って取得した各画素の複数の出力データ(以下、「明出力データ」という。)を用いて平均化した白基準データを計算する機能を有している。この白基準データは、画素毎に求められる。
【００３４】
本実施例１では、各色のＬＥＤ発光の状態によって、白基準データを第１の白基準データと、第２の白基準データに分けて説明する。
【００３５】
第１の白基準データとは、次のように定義される。即ち、発光異常検出部６２が６個のＬＥＤのうちから１つのＬＥＤの異常を検出した場合、その異常であった第１の発光素子である第１のＬＥＤの発光をオフすると共に、第１のＬＥＤと同色の正常な第２の発光素子である第２のＬＥＤの発光時間を延ばす。発光時間を延ばした状態で、読取ユニット４０が白基準板３１を読み取って取得した各画素の複数の明出力データを用いて算出する白基準データを第１の白基準データという。
【００３６】
第２の白基準データとは、同色で対になっている２つのＬＥＤ(例えば、ＧＬＥＤ１とＧＬＥＤ２)が全て正常に発光する場合、読取ユニット４０が白基準板３１を読み取って取得した各画素の明出力データを用いて算出する白基準データをいう。白基準データに対し、ＬＥＤのオフ状態で取得した各画素の平均データは、黒基準データという。
【００３７】
白基準データ計算部６３は、色別に順次入力された明出力データの平均値である白基準データを算出する機能を有している。補正係数記憶部６４は、事前に試験評価により決まったＲ、Ｇ、Ｂの３色の任意の２色間の第２の白基準データの変化量(以下、「第１の補正係数」という。)を記憶する回路である。この回路は、例えば、ラインバッファにより構成されている。
【００３８】
仮想白基準データ計算部６５は、発光異常検出部６２により、第１のＬＥＤの発光が異常であることが検出された場合、第１のＬＥＤと異なる色の第２の白基準データと、この色に対応する補正係数記憶部６４に記憶された第１の補正係数とを用いて、異常であった第１のＬＥＤの色の白基準データ(以下、仮想白基準データという。)を計算する機能を有している。
【００３９】
補正係数計算部６６は、仮想白基準データ計算部６５で計算した異常である第１のＬＥＤの色の仮想白基準データと、白基準データ計算部６３で計算した第１のＬＥＤの色の第１の白基準データとを用いて、画像データに対する補正用の第２の補正係数を計算する機能を有している。
【００４０】
Ｉ／Ｆ部６７は、データ通信バス２とのデータ送受信を制御する機能を有している。バス６８は、ＣＰＵ５１が出力する命令や画像読取部５４が生成した読取データを送受信するための通信路である。
【００４１】
図４は、図１中の補正係数記憶部６４を示す構成図である。
補正係数記憶部６４は、第１の補正係数６４ａと、第１の補正係数６４ｂと、第１の補正係数６４ｃとで構成されている。以下に、第１の補正係数６４ａを例にして説明する。
【００４２】
第１の補正係数６４ａは、Ｇ色とＢ色の第２の白基準データから計算して得たデータである。原稿の読み取り動作の前に、読取ユニット４０がシェーディング動作を実施し、取得したＧ色とＢ色のそれぞれの第２の白基準データにより第１の補正係数を計算する。
【００４３】
例えば、読取ユニット４０のｎ画素目のＧ色の第２の白基準データをＸ１とし、このｎ画素目のＢ色の第２の白基準データをＸ２とする。このｎ画素目のＧ色の第２の白基準データが、Ｂ色の第２の白基準データにより計算される場合には、第１の補正係数６４ａは、
第１の補正係数６４ａ＝（Ｘ１−Ｘ２）／Ｘ１＋１・・・（１）
となる。
【００４４】
このｎ画素目のＢ色の第２の白基準データが、Ｇ色の第２の白基準データにより計算される場合には、第１の補正係数６４ａは、
第１の補正係数６４ａ＝（Ｘ２−Ｘ１）／Ｘ２十１・・・（２）
となる。
【００４５】
式（１）と式（２）とで計算された２種の第１の補正係数６４ａは、画像読取装置１が出荷される前に補正係数記憶部６４に全て記憶される。同じように求めた第１の補正係数６４ｂと第１の補正係数６４ｃも、補正係数記憶部６４により記憶される。
【００４６】
図５は、図１中の発光異常検出部６２を示す構成図である。
発光異常検出部６２は、光源４１に対応した部分と光源４２に対応した部分で構成されている。光源４１に対応した部分は、ＲＬＥＤ１異常検出用閾値６２ａ１、ＧＬＥＤ１異常検出用閾値６２ａ２、及びＢＬＥＤ１異常検出用閾値６２ａ３を有している。更に、光源４１に対応した部分は、比較部６２ｂ１，６２ｂ２，６２ｂ３と、判定部６２ｃ１，６２ｃ２，６２ｃ３とを有している。
【００４７】
同様に光源４２に対応した部分は、ＲＬＥＤ２異常検出用閾値６２ａ４、ＧＬＥＤ２異常検出用閾値６２ａ５、及びＢＬＥＤ２異常検出用閾値６２ａ６を有している。更に、光源４２に対応した部分は、比較部６２ｂ４，６２ｂ５，６２ｂ６と、判定部６２ｃ４，６２ｃ５，６２ｃ６とを有している。
【００４８】
各色のＬＥＤの異常検出用閾値６２ａ１〜６２ａ６の出力データは、対応する比較部６２ｂ１〜６２ｂ６にそれぞれ入力されるように構成されている。更に、各比較部６２ｂ１〜６２ｂ６には、各色の注目画素の出力データＳ６２−１〜６２−６が入力されるように構成されている。各比較部６２ｂ１〜６２ｂ６の出力データは、対応する判定部６２ｃ１〜６２ｃ６に入力される。
【００４９】
図５における注目画素についてＧＬＥＤ１を例に説明する。
設計評価の段階で、予め、ＧＬＥＤ１を有する光源４１の近くの複数画素ｐｘａについて、白基準板３１を読み、この複数画素４５ａのうちのデジタル出力レベルが最も高い画素を注目画素とする。ＧＬＥＤ１について、調光が実施されるとき、この注目画素を調光画素として使用する。即ち、この注目画素のデジタル出力レベルが事前に設定された目標値（例えば、２３０レベル）に満たせば、ＧＬＥＤ１の調光を終了する。
【００５０】
ＧＬＥＤ１異常検出用閾値６２ａ２は、事前に決められたＧＬＥＤ１の異常を検出するデジタル出力レベル（例えば、１００レベル）である。ＧＬＥＤ１の調光を実施するとき、注目画素の出力データＳ６２−２と異常検出用閾値６２ａ２とが比較部６２ｂ２により比較され、注目画素の出力データＳ６２−２が、事前に設定された最大調光時間を使っても、異常検出用閾値６２ａ２（例えば、１００レベル）より小さい場合、判定部６２ｃ２は、ＧＬＥＤ１を出力異常と判断するようになっている。ＧＬＥＤ１以外のＲＬＥＤ１，ＢＬＥＤ１，ＲＬＥＤ２，ＤＬＥＤ２，及びＢＬＥＤ２についても同様に、出力異常の有無が判定される。
【００５１】
判定部６２ｃ１〜６２ｃ６は、６個のＬＥＤに対する発光異常の有無を判断してその結果を図示しないメモリに保存する機能を有している。ＣＰＵ５１は、前記メモリに保存された判定部６２ｃ１〜６２ｃ６の判定結果により、１個のＬＥＤのみが異常であったと判定した場合には、光源駆動部５３を介して前記異常であった１つのＬＥＤ（第１のＬＥＤ）と同色の他の異常でない第２のＬＥＤの発光時間を延ばすようになっている。
【００５２】
ＣＰＵ５１は、前記メモリに保存された判定部６２ｃ１〜６２ｃ６の判定結果により、２個以上のＬＥＤが異常であった場合には、アラーム部５８を介してユーザに通知の音を発するとともに、操作パネル６０上の表示部（例えば、ＬＣＤ；Liquid  Cristal  Display）に発光異常の旨を表示するようになっている。
【００５３】
図６は、図１中の白基準データ計算部６３を示す構成図である。
白基準データ計算部６３は、Ｒ色の白基準データ算出部６３ａ、Ｇ色の白基準データ算出部６３ｂ、及びＢ色の白基準データ算出部６３ｃで構成されている。３つ白基準データ算出部６３ａ〜６３ｃの構成は、同様であるので、Ｇ色の白基準データ算出部６３ｂを例に説明する。
【００５４】
Ｇ色の白基準データ算出部６３ｂは、Ｇ色の第１の白基準データ、又は第２の白基準データを算出するための、図示しない加算器と除算器回路とで構成されている。白基準データ算出部６３ｂには、Ｇ色の各画素の明出力データＳ６３ｂが順次入力されるように構成されている。順次入力された明出力データＳ６３ｂは、加算器で積算され、積算結果が除算器で除算されてＧ色の白基準データが算出されるように構成されている。
【００５５】
図７は、図１中の仮想白基準データ計算部６５を示す構成図である。
仮想白基準データ計算部６５は、乗算部６５ａにより構成されている。仮想白基準データ計算部６５は、異常であった第１のＬＥＤの色の仮想白基準データを取得する計算部である。ＧＬＥＤ１が異常であった場合を例にして説明する。
【００５６】
Ｇ色の仮想白基準データは、白基準データ計算部６３で計算して得たＢ色の第２の白基準データＳ６５−１により計算され、
Ｇ色の仮想白基準データ
＝Ｂ色の第２の白基準データＳ６５−１
×第１の補正係数６４ａ・・・（３）
となる。
【００５７】
図８は、図１中のシェーディング回路５６を示す構成図である。
【００５８】
シェーディング回路５６は、シェーディング計算部５６ａとシェーディング計算部５６ｂにより構成されている。シェーディング計算部５６ａは、下記の式（４）に示すシェーディング計算式に基づいて回路が構成されている。このシェーディング計算部５６ａは、同色で異常でない２つのＬＥＤ（例えば、ＧＬＥＤｌとＧＬＥＤ２）の画像デー夕、第２の白基準データ、及び黒基準データを用いて、式（４）に基づいて読み取った画像データに対してシェーディング補正を実施する。
ＰＩＸｎ’＝（（ＰＩＸｎ）-（Ｄｎ））×２５５／（（Ｗｎ）-（Ｄｎ））
・・・（４）
但し、
ＰＩＸｎ’：シェーディング補正後の読取ユニット４０のｎ画素目の
原稿画像データ
ＰＩＸｎ：シェーディング補正前の読取ユニット４０のｎ画素目の
原稿画像データ；
Ｗｎ：読取ユニットのｎ画素目の第２の白基準データ
Ｄｎ：読取ユニットのｎ画素目の黒基準データ
２５５：ＡＦＥ５５が８ビットで出力する場合の最大出力レベル
データ
【００５９】
シェーディング計算部５６ｂは、発光異常検出部６２により、同色の２つＬＥＤ内のうちの１つのＬＥＤが異常であることが検出された場合に使用するシェーディング補正回路である。この回路は、下記の式（５）に基づいて構成されている。式（５）に基づいて、原稿画像データに対してシェーディング補正を実施する。
ＰＩＸｎ’＝（（ＰＩＸｎ＋Δ１ｎ）-（Ｄｎ））×２５５
／（（Ｗｎ’）-（Ｄｎ））・・・（５）
但し、
Ｗｎ’：読取ユニット４０のｎ画素目の仮想白基準データ
Δ１ｎ：読取ユニット４０のｎ画素目の第２の補正係数
Δ１ｎは、補正係数計算部６６により、下記の式（６）に基づいて
算出される。
Δ１ｎ＝ＰＩＸｎ×（Ｗｎ’−Ｗｎ”）／Ｗｎ’・・・（６）
但し、Ｗｎ”：読取ユニット４０のｎ画素目の第１の白基準データ。
【００６０】
（実施例１の動作）
図９は、図１の画像読取装置１におけるＬＥＤ発光異常を検出する動作を示すフローチャートである。
【００６１】
ステップＳ１において、ユーザが画像読取装置１の図示しない電源スイッチ又は図示しない省電力モードキーを押下する。ステップＳ２において、画像読取装置１がキャリブレーション動作(例えば、ＣＰＵ５１のレジスタ設定、ステッピングモータ２１，３７と一連のセンサの動作確認等)を実施する。
【００６２】
ステップＳ３において、キャリブレーション動作が確認された後、画像読取装置１は、ステッピングモータ３７を駆動し、このステッピングモータ３７の回転により、読取ユニット４０が白基準板３１の下まで搬送される。読取ユニット４０が白基準板３１に到達すると、光源駆動部５３は、光源４１のＲＬＥＤ１、ＧＬＥＤ１、及びＢＬＥＤ１と、光源４２のＲＬＥＤ２、ＧＬＥＤ２、及びＢＬＥＤ２との６個のＬＥＤを発光し、事前に決まった順番で調光を実施する。例えば、Ｇ，Ｒ，Ｂという順番で調光を実施する。
【００６３】
ステップＳ４において、ＧＬＥＤ１とＧＬＥＤ２とを同時に調光する。即ち、ＧＬＥＤ１とＧＬＥＤ２が発光すると、読取ユニット４０の画素が白基準板３１からの反射光である光信号を受光して、これをアナログ信号に変換する。次に、変換したアナログ信号を、ＡＦＥ５５を介してデジタル信号に変換する。
【００６４】
発光異常検出部６２は、ＧＬＥＤ１の注目画素のデジタル出力データＳ６２−２のレベルと、記憶された異常検出用閾値６２ａ２とを比較し、ＧＬＥＤ１に発光異常があるか否かを検出する。異常検出用閾値６２ａ２は、ＧＬＥＤ１とＧＬＥＤ２とが同時に点灯された状態で予めきめられた値である。更に、発光異常検出部６２は、ＧＬＥＤ２の注目画素のデジタル出力データＳ６２−５のレベルと、記憶された異常検出用閾値６２ａ５とを比較し、ＧＬＥＤ２に発光異常があるか否かを検出する。異常検出用閾値６２ａ５は、ＧＬＥＤ１とＧＬＥＤ２とが同時に点灯された状態で予めきめられた値である。発光異常検出部６２は、検出したＧＬＥＤ１とＧＬＥＤ２の発光状態（正常または異常）をＣＰＵ５１へ送信する。
【００６５】
ステップＳ５において、ＣＰＵ５１でＬＥＤ発光異常の有無が判定される。ＬＥＤ発光異常が有りのときには（Ｎｏ）、ステップＳ７へ進む。ステップＳ７において、ＬＥＤ発光異常を図示しないメモリに記憶する。ＬＥＤ発光異常が無しのときには（Ｙｅｓ）、ステップＳ６へ進む。ステップＳ６において、発光異常検出部６２は、ＧＬＥＤ１とＧＬＥＤ２の調光が終了するまで、光源駆動部５３を介して２つのＬＥＤの調光を実施する。
【００６６】
ＧＬＥＤ１とＧＬＥＤ２の調光が終了すると、次はＲＬＥＤ１とＲＬＥＤ２の調光を実施する。最後は、ＢＬＥＤ１とＢＬＥＤ２の調光を実施する。前記６個ＬＥＤの調光は全て終了すると（Ｙｅｓ）、ステップＳ８へ進む。
【００６７】
ステップＳ８において、ＣＰＵ５１は、図示しないメモリに保存された発光異常検出部６２の判定部６２ｃ１〜６２ｃ６が６個のＬＥＤの発光状態をそれぞれ判断する。その結果により、１個のＬＥＤ（例えば、ＧＬＥＤ１）のみ異常であったと判断する場合には（Ｙｅｓ）、ステップＳ９へ進む。ステップＳ９において、ＣＰＵ５１は、光源駆動部５３を介してＧＬＥＤ１の発光をオフさせる。ステップＳ１０，Ｓ１１において、発光異常検出部６２は、正常なＲＬＥＤ２の調光を継続し、ＧＬＥＤ２が事前に決められた調光レベル（例えば、２００レベル）に達するまで、ＲＬＥＤ２の調光時間を延ばすように調光する。調光が終了したときには（Ｙｅｓ）、本処理を終了する。
【００６８】
ステップＳ８において、２つ以上のＬＥＤが異常であったことを検出した場合には、ステップＳ１２へ進む。ステップＳ１２において、ＣＰＵ５１は、アラーム部５８を介してユーザに通知の音を出すと共に、操作パネル６０の図示しないＬＣＤ上に発光異常の旨を表示する。
【００６９】
図１０は、図１の画像読取装置におけるカラー画像読み取り時の動作を示すフローチャートである。
【００７０】
図９により１つのＬＥＤ（例えば、ＧＬＥＤ１）が異常であったと検出されたことを前提にして説明する。
【００７１】
ステップＳ２１において、ユーザが画像読取ユニット４０のＦＢ原稿台３２に原稿Ｐを載置し、図示しない原稿押え板をセットしてから、図示しないカラー読取スタートキーを押す。画像読取ユニット４０は、原稿Ｐのカラー読取を開始し、読取ユニット４０が白基準板３１の下まで移動する。
【００７２】
ステップＳ２２において、図９に示す動作により調光されたＲＬＥＤ１、ＲＬＥＤ２、ＧＬＥＤ２、ＢＬＥＤ１、及びＢＬＥＤ２がそれぞれ発光する。読取ユニット４０は、Ｇの第１の白基準データと、Ｂ及びＲの第２の白基準データとを計算するため、各画素の明出力データを取得するシェーディング動作を実施する。
【００７３】
ステップＳ２３において、シェーディング動作が終了すると、読取ユニット４０は、原稿Ｐの図示しない読取開始位置に移動し、原稿Ｐの副走査方向Ｙに沿ってカラー読取動作を実施する。
【００７４】
ステップＳ２４において、原稿Ｐが読み取られる際、白基準データ計算部６３は、ステップＳ２２で取得した各画素の明出力データを用いて、Ｇの第１の白基準データと、Ｂの第２の白基準データと、Ｒの第２の白基準データとをそれぞれ算出する。
【００７５】
ステップＳ２５において、仮想白基準データ計算部６５は、式（３）に基づき、Ｇの仮想白基準データを算出する。ステップＳ２６において、仮想白基準データ計算部６５は、式（６）に基づき、Ｇの画像データを補正するためのＧの第２の補正係数を算出する。
【００７６】
ステップＳ２７において、読取ユニット４０が原稿Ｐの読取動作を終了すると、シェーディング回路５６が式（４）に基づいてＢとＲの画像データのシェーディング補正をそれぞれ実施し、式（５）に基づいてＧの画像データのシェーディング補正を実施する。
【００７７】
ステップＳ２８において、全ての画像データのシェーディング補正が完了したか否かが判定される。全ての画像データのシェーディング補正が完了したときには（Ｙｅｓ）、画像処理部５７は、シェーディング補正された画像データに対して画像処理を行う。画像処理が終了すると、データ通信バス２を介してプリンタ３に画像データを送信して画像読取装置１のカラー読取動作が終了する。
【００７８】
（実施例１の効果）
本実施例１の画像読取装置によれば、同色の発光色光Ｌの２つのＬＥＤのうち１つの第１のＬＥＤが異常であることと検出すると、光源駆動部５３は、検出した異常であった第１のＬＥＤと同色で正常な第２のＬＥＤの発光時間を延ばして原稿のカラー読取を実施し、異常であった第１のＬＥＤの色の画像データに対し、シェーディング補正を実施する。このように構成したので、第１のＬＥＤが異常であった場合の原稿の画像データの画質は、第１のＬＥＤが正常であったときの画質と同じレベルを得ることができる。このため、１つＬＥＤが異常であってもカラー読取モードによる原稿の読み取りを継続することができるという効果がある。
【実施例２】
【００７９】
（実施例２の構成）
図１１は、本発明の実施例２の画像読取装置１Ａを示す機能ブロック図であり、実施例１を示す図１中の要素と共通の要素には共通の符号が付されている。
【００８０】
本実施例２における画像読取装置１Ａの構成は、実施例１とほぼ同様である。本実施例２と実施例１との相違点は、仮想白基準データ計算部６５Ａの構成が実施例１の仮想白基準データ計算部６５と異なっている点である。その他の構成は、実施例１と同様である。
【００８１】
実施例１の仮想白基準データ計算部６５では、異常が検出されたＬＥＤの発光色光Ｌとは別の任意の発光色光Ｌの第２の白基準データと、第１の補正係数とを用いて計算することにより、異常であった第１のＬＥＤの発光色光Ｌの仮想白基準データを取得するようになっている。
【００８２】
これに対し、本実施例２は、仮想白基準データの精度を更に向上させるために、仮想白基準データ計算部６５Ａにおいて、異常が検出されたＬＥＤの発光色光Ｌとは別の２色の第２の白基準データを用い、異常であった第１のＬＥＤの発光色光Ｌの仮想白基準データを取得するように構成されている。即ち、２つの第２の白基準データのうちの一方の第２の白基準データと、前記一方の第２の白基準データに関連する第１の補正係数に基づいて第１の計算結果を計算し、更に、前記２つの第２の白基準データのうちの他方の第２の白基準データと、前記他方の第２の白基準データに関連する第１の補正係数に基づいて第２の計算結果を計算し、前記第１の計算結果と前記第２の計算結果との平均値を求めて前記仮想白基準データとするようにしている。
【００８３】
図１２は、図１１中の仮想白基準データ計算部６５Ａを示す構成図である。
仮想白基準データ計算部６５Ａは、乗算部６５Ａａと、乗算部６５Ａｂと、平均化回路６５Ａｃとを有している。説明の便宜のため、ＧＬＥＤ１の異常が検出されたことを例にして、乗算部６５Ａａと、乗算部６５Ａｂと、平均化回路６５Ａｃとの役割をそれぞれ説明する。
【００８４】
Ｇ色の仮想白基準データは、Ｂ色の第２の白基準データとＲ色の第２の白基準データにより計算される。例えば、乗算部６５Ａａは、Ｂ色の第２の白基準データと、ＧとＢ間の第１の補正係数を乗算してＧ色の第１の計算結果を求める機能を有している。乗算部６５Ａｂは、Ｒ色の第２の白基準データと、ＧとＲ間の第１の補正係数を乗算してＧ色の第２の計算結果を求める機能を有している。平均化回路６５Ａｃは、この第１の計算結果と第２の計算結果とを入力して平均値を計算してＧ色のシェーディング補正用仮想白基準データを求める機能を有している。
【００８５】
（実施例２の動作）
図１３は、図１１の画像読取装置１Ａにおけるカラー画像読み取り時の動作を示すフローチャートであり、実施例１を示す図１０中のステップと共通のステップには共通の符号が付されている。
【００８６】
本実施例２における画像読取装置１Ａの動作は、実施例１とほぼ同様である。本実施例２においては、図１０の実施例１の動作を示すフローチャートのステップＳ２５がステップＳ２５Ａに置き換えられている点が実施例１と異なる。他のステップＳ２１〜Ｓ２４，ステップＳ２６〜Ｓ２９は、実施例１と同様である。
【００８７】
実施例１と同様のステップＳ２１〜Ｓ２４が実行される。
実施例１と異なるステップ２５Ａにおいて、実施例１の図１０の説明と同様に、ＧＬＥＤ１が異常であったとする。読取ユニット４０がＦＢ原稿台３２上の原稿Ｐ読み取るとき、例えば、乗算部６５Ａaが、Ｂ色の第２の白基準データと、ＧとＢ間の第１の補正係数とを乗算して第１の計算結果を求める。
【００８８】
乗算部６５Ａｂが、Ｒ色の第２の白基準データと、ＧとＲ間の第１の補正係数を乗算して第２の計算結果を求める。これらの第１及び第２の計算結果を平均化回路６５Ａｃで平均して、Ｇ色のシェーディング補正用仮想白基準データを取得する。
【００８９】
続いて、実施例１と同様のステップＳ２６〜Ｓ２９が実行されて本処理が終了する。
【００９０】
（実施例２の効果）
実施例２の画像読取装置１Ａによれば、仮想白基準データ計算部６５Ａにおいては、異常が検出されたＬＥＤの発光色光Ｌとは別の２色の第２の白基準データを用いてそれぞれ、仮想白基準データを求め、その計算結果を平均化してシェーディング補正用仮想白基準データを取得するようにしている。このため、実施例１の効果に加え、画像データに対する補正精度を、更に向上することができるという効果がある。
【００９１】
（変形例）
本発明は、上記実施例に限定されず、種々の利用形態や変形が可能である。この利用形態や変形例としては、例えば、次の（ａ）、（ｂ）のようなものがある。
【００９２】
（ａ）  実施例１、２では、データ通信バス２を介してプリンタ３に接続された画像読取装置１，１Ａで説明したが、画像読取装置１，１Ａとプリンタ３が一体に構成された複写機やファクシミリ装置にも適用が可能である。
【００９３】
（ｂ）  実施例１、２では、光源４１，４２を構成する発光素子として、Ｒ，Ｇ，Ｂの３種の発光色光Ｌを発光する発光素子で説明したが、これに限定されない。
【符号の説明】
【００９４】
１，１Ａ                  画像読取装置
４１                        第１の光源
４２                        第２の光源
４３                        導光板
４５                        撮像素子      
５３                        光源駆動部
５６                        シェーディング回路
６２                        発光異常検出部
６３                        白基準データ計算部
６５，６５Ａ                仮想白基準データ計算部
６６                        補正係数計算部
【図１】
2012178790.tif 000003
【図２】
2012178790.tif 000004
【図３】
2012178790.tif 000005
【図４】
2012178790.tif 000006
【図５】
2012178790.tif 000007
【図６】
2012178790.tif 000008
【図７】
2012178790.tif 000009
【図８】
2012178790.tif 000010
【図９】
2012178790.tif 000011
【図１０】
2012178790.tif 000012
【図１１】
2012178790.tif 000013
【図１２】
2012178790.tif 000014
【図１３】
2012178790.tif 000015